【手続補正書】
【提出日】平成28年2月10日(2016.2.10)
【手続補正１】
【補正対象書類名】明細書
【補正対象項目名】０１１６
【補正方法】変更
【補正の内容】
【０１１６】
本発明を上記のように説明したが、本発明を様々に変更可能であることが明らかであろう。そのような変更は、本発明の精神および範囲からの逸脱とは見做すべきではなく、そして全てのそのような変更は、以下の特許請求の範囲内に含まれることが意図されている。
本発明は、以下の態様を含んでいる。
（１）濃縮された中性の床処理用組成物であって、
約１〜５０質量％の少なくとも２種の水に不溶性の界面活性剤、第１の界面活性剤は、分岐したアルコールアルコキシレートであり、第２の界面活性剤は、エチレンオキシド／ポリプロピレンオキシド共重合体である；および
約１〜５０質量の水溶性のアニオン性ヒドロトロープ；および
約２０〜９０質量％の水、
を含んでなり、該組成物は、約６〜９のｐＨを有しており、かつ透明な溶液を形成する、組成物。
（２）前記分岐したアルコールアルコキシレートが、下記の式を有する、
【化３】
2015512970.tif 000001
式中、Ｒ１は、Ｃ２〜Ｃ２０アルキルであり、Ｒ２は、ＨまたはＣ１〜Ｃ４アルキルであり、ｎは、２〜２０であり、またｍは、１〜４０である、
ゲルベエトキシレートである、（１）記載の組成物。
（３）前記ＥＯ−ＥＰ共重合体が、ＥＯ−ＰＯ共重合体、反転ＥＯ−ＰＯ共重合体およびそれらの組み合わせからなる群から選ばれる、（１）記載の組成物。
（４）前記水に不溶性のゲルベエトキシレートが、約３０質量％〜約６０質量％がエチレンオキシドであり、エチレンオキシド／プロピレンオキシド共重合体が、反転共重合体であり、前記アニオン性ヒドロトロープが、キシレンスルホネートおよびその塩、クメンスルホネートおよびその塩、ならびにＣ６〜Ｃ１０脂肪酸およびその塩からなる群から選ばれる、（２）記載の組成物。
（５）前記第２の界面活性剤の前記第１の界面活性剤と前記ヒドロトロープに対する質量比が、約２０：１：２０〜約２：１：２である、（１）記載の組成物。
（６）濃縮された中性の床処理用組成物であって、
下記の式を有する、約１〜１０質量の水に不溶性のゲルベエトキシレート
【化４】
2015512970.tif 000002
約１〜５０質量％の水に不溶性のＥＯ−ＰＯ共重合体；
約１〜５０質量％の水溶性のアニオン性ヒドロトロープ；および
約２〜９０質量％の水、
を含んでなり、該組成物は、約６〜９のｐＨを有し、かつ透明な溶液を形成する、
組成物。
（７）前記Ｒ１が、Ｃ２〜Ｃ２０アルキルであり、Ｒ２が、ＨまたはＣ１〜Ｃ４アルキルであり、ｎは、２〜２０であり、かつｍは、１〜４０であり、前記ゲルベエトキシレートが、アルケンの二量化によってゲルベアルコールから調製される、（６）記載の組成物。
（８）前記水に不溶性のゲルベエトキシレートが、約３０質量％〜約６０質量％がエチレンオキシドであり、前記ＥＯ−ＰＯ共重合体が、約１００００未満の分子量を有しており、かつＥＯ−ＰＯ共重合体、反転ＥＯ−ＰＯ共重合体およびそれらの組み合わせからなる群から選ばれる、（６）記載の組成物。
（９）前記組成物が、約５０℃以下の高温で、相安定性を保持する、（６）記載の組成物。
（１０）前記水に不溶性のゲルベエトキシレートが、約３０質量％〜約６０質量％がエチレンオキシドであり、前記エチレンオキシド／プロピレンオキシド共重合体が反転共重合体であり、かつ前記アニオン性ヒドロトロープが、キシレンスルホネートおよびその塩、クメンスルホネートおよびその塩、ならびにＣ６〜Ｃ１０脂肪酸およびその塩からなる群から選ばれる、（６）記載の組成物。
（１１）ＥＯ−ＰＯ共重合体界面活性剤の水に不溶性のゲルベエトキシレート界面活性剤とアニオン性のヒドロトープとの質量比が、約２０：１：２０〜約２：１：２である、（６）記載の組成物。
（１２）前記組成物が、ビルダー、キレート化剤、金属イオン封鎖剤、閾値剤／防止剤およびそれらの組み合わせからなる群から選ばれるいずれの化学薬品も含まない、（６）記載の組成物。
（１３）前記組成物が、粘度調整剤および／または有機溶媒を含まない、（６）記載の組成物。
（１４）キットであって、
液体洗浄剤組成物、該組成物は、（６）記載の中性の洗浄組成物である；
容器；および
該キットの使用説明書、
を含んでなるキット。
（１５）前記中性の洗浄組成物を適用するとき、および多量の汚れを除去するときに用いるための除去材を更に含む、（１４）記載のキット。
（１６）硬質表面の洗浄方法であって、
該硬質表面に、
約１〜１０質量％の、下記の式を有する、水に不溶性のゲルベエトキシレート界面活性剤、
【化５】
2015512970.tif 000003
約１〜５０質量％の水に不溶性ＥＯ−ＰＯ共重合体界面活性剤、
約１〜５０質量％の水溶性のアニオン性ヒドロトロープ、および、
約２０〜５０質量％の水、
を含む組成物であって、
該組成物は、約６〜９のｐＨを有し、かつ透明な溶液を形成する、
中性の洗浄組成物を適用すること、を含んでなる方法。
（１７）前記組成物を、該組成物を硬質表面に適用する前に、水で、使用溶液に希釈する工程を更に含み、該希釈が、前記中性の洗浄組成物を、約０．１オンス／ガロン〜約１０オンス／ガロンの、該中性の洗浄組成物の使用溶液中の分配比率を与える、（１６）記載の方法。
（１８）前記中性の洗浄組成物が、アルカリ性の洗浄溶液と比べて、少なくとも同等の洗浄効力を与える、（１６）記載の方法。
（１９）前記中性の洗浄組成物が、最終的な使用者に、個人保護装置の使用を必要とさせない、（１６）記載の方法。
（２０）モップ、自動スクラバ、スプレイ分配器、圧縮空気およびそれらの組み合わせからなる群から選ばれる除去材を用いて、前記硬質表面から汚れを除去することを更に含む、（１６）記載の方法。
【手続補正２】
【補正対象書類名】特許請求の範囲
【補正対象項目名】全文
【補正方法】変更
【補正の内容】
【特許請求の範囲】
【請求項１】
濃縮された中性の床処理用組成物であって、
１〜５０質量％の少なくとも２種の水に不溶性の界面活性剤、第１の界面活性剤は、分岐したアルコールアルコキシレートであり、第２の界面活性剤は、エチレンオキシド／ポリプロピレンオキシド共重合体である；および
１〜５０質量の水溶性のアニオン性ヒドロトロープ；および
２０〜９０質量％の水、
を含んでなり、該組成物は、６〜９のｐＨを有しており、かつ透明な溶液を形成する、組成物。
【請求項２】
前記分岐したアルコールアルコキシレートが、下記の式を有する、
【化１】
2015512970.tif 000004
式中、Ｒ１は、Ｃ２〜Ｃ２０アルキルであり、Ｒ２は、ＨまたはＣ１〜Ｃ４アルキルであり、ｎは、２〜２０であり、またｍは、１〜４０である、
ゲルベエトキシレートである、請求項１記載の組成物。
【請求項３】
前記ＥＯ−ＥＰ共重合体が、ＥＯ−ＰＯ共重合体、反転ＥＯ−ＰＯ共重合体およびそれらの組み合わせからなる群から選ばれる、請求項１記載の組成物。
【請求項４】
前記水に不溶性のゲルベエトキシレートが、３０質量％〜６０質量％がエチレンオキシドであり、エチレンオキシド／プロピレンオキシド共重合体が、反転共重合体であり、前記アニオン性ヒドロトロープが、キシレンスルホネートおよびその塩、クメンスルホネートおよびその塩、ならびにＣ６〜Ｃ１０脂肪酸およびその塩からなる群から選ばれる、請求項２記載の組成物。
【請求項５】
前記第２の界面活性剤の前記第１の界面活性剤と前記ヒドロトロープに対する質量比が、２０：１：２０〜２：１：２である、請求項１記載の組成物。
【請求項６】
濃縮された中性の床処理用組成物であって、
下記の式を有する、１〜１０質量の水に不溶性のゲルベエトキシレート
【化２】
2015512970.tif 000005
式中、Ｒ１は、Ｃ２〜Ｃ２０アルキルであり、Ｒ２は、ＨまたはＣ１〜Ｃ４アルキルであり、ｎは、２〜２０であり、またｍは、１〜４０である、
１〜５０質量％の水に不溶性のＥＯ−ＰＯ共重合体；
１〜５０質量％の水溶性のアニオン性ヒドロトロープ；および
２〜９０質量％の水、
を含んでなり、該組成物は、６〜９のｐＨを有し、かつ透明な溶液を形成する、
組成物。
【請求項７】
前記Ｒ１が、Ｃ２〜Ｃ２０アルキルであり、Ｒ２が、ＨまたはＣ１〜Ｃ４アルキルであり、ｎは、２〜２０であり、かつｍは、１〜４０であり、前記ゲルベエトキシレートが、アルケンの二量化によってゲルベアルコールから調製される、請求項６記載の組成物。
【請求項８】
前記水に不溶性のゲルベエトキシレートが、３０質量％〜６０質量％がエチレンオキシドであり、前記ＥＯ−ＰＯ共重合体が、１００００未満の分子量を有しており、かつＥＯ−ＰＯ共重合体、反転ＥＯ−ＰＯ共重合体およびそれらの組み合わせからなる群から選ばれる、請求項６記載の組成物。
【請求項９】
前記組成物が、５０℃以下の高温で、相安定性を保持する、請求項６記載の組成物。
【請求項１０】
前記水に不溶性のゲルベエトキシレートが、３０質量％〜６０質量％がエチレンオキシドであり、前記エチレンオキシド／プロピレンオキシド共重合体が反転共重合体であり、かつ前記アニオン性ヒドロトロープが、キシレンスルホネートおよびその塩、クメンスルホネートおよびその塩、ならびにＣ６〜Ｃ１０脂肪酸およびその塩からなる群から選ばれる、請求項６記載の組成物。
【請求項１１】
ＥＯ−ＰＯ共重合体界面活性剤の水に不溶性のゲルベエトキシレート界面活性剤とアニオン性のヒドロトープとの質量比が、２０：１：２０〜２：１：２である、請求項６記載の組成物。
【請求項１２】
前記組成物が、ビルダー、キレート化剤、金属イオン封鎖剤、閾値剤／防止剤およびそれらの組み合わせからなる群から選ばれるいずれの化学薬品も含まない、請求項６記載の組成物。
【請求項１３】
前記組成物が、粘度調整剤および／または有機溶媒を含まない、請求項６記載の組成物。
【請求項１４】
キットであって、
液体洗浄剤組成物、該組成物は、請求項６記載の中性の洗浄組成物である；
容器；および
該キットの使用説明書、
を含んでなるキット。
【請求項１５】
前記中性の洗浄組成物を適用するとき、および多量の汚れを除去するときに用いるための除去材を更に含む、請求項１４記載のキット。
【請求項１６】
硬質表面の洗浄方法であって、
該硬質表面に、
１〜１０質量％の、下記の式を有する、水に不溶性のゲルベエトキシレート界面活性剤、
【化３】
2015512970.tif 000006
式中、Ｒ１は、Ｃ２〜Ｃ２０アルキルであり、Ｒ２は、ＨまたはＣ１〜Ｃ４アルキルであり、ｎは、２〜２０であり、またｍは、１〜４０である、
１〜５０質量％の水に不溶性ＥＯ−ＰＯ共重合体界面活性剤、
１〜５０質量％の水溶性のアニオン性ヒドロトロープ、および、
２０〜５０質量％の水、
を含む組成物であって、
該組成物は、６〜９のｐＨを有し、かつ透明な溶液を形成する、
中性の洗浄組成物を適用すること、を含んでなる方法。
【請求項１７】
前記組成物を、該組成物を硬質表面に適用する前に、水で、使用溶液に希釈する工程を更に含み、該希釈が、前記中性の洗浄組成物を、０．１オンス／ガロン〜１０オンス／ガロンの、該中性の洗浄組成物の使用溶液中の分配比率を与える、請求項１６記載の方法。
【請求項１８】
前記中性の洗浄組成物が、アルカリ性の洗浄溶液と比べて、少なくとも同等の洗浄効力を与える、請求項１６記載の方法。
【請求項１９】
前記中性の洗浄組成物が、最終的な使用者に、個人保護装置の使用を必要とさせない、請求項１６記載の方法。
【請求項２０】
モップ、自動スクラバ、スプレイ分配器、圧縮空気およびそれらの組み合わせからなる群から選ばれる除去材を用いて、前記硬質表面から汚れを除去することを更に含む、請求項１６記載の方法。